(57)【要約】【課題】  画像処理装置の遠隔操作を容易にすること。【解決手段】  携帯情報装置は、本体の傾きを検出する傾き検出部と、表示部に選択領域３２１を表示する選択領域表示制御部と、傾き検出部により第１の範囲内の傾きが検出される間は選択領域３２１を通過する軌道３２５Ａを設定し、傾き検出部により第１の範囲内の傾きが検出されていない間は選択領域３２１を通過しない軌道を設定する軌道設定部と、記憶されたデータを識別するためのサムネイル３１１〜３１７を設定された軌道３２５Ａに沿って移動可能に表示部に表示する識別情報表示制御部と、軌道３２５Ａ上を移動するサムネイル３１１が選択領域３２１に進入することに応じて、サムネイル３１１のデータをＭＦＰに送信し、ＭＦＰに所定の処理を実行させる遠隔制御部と、を備える。【選択図】        図８
2013008323.tif 000002
【特許請求の範囲】
【請求項１】
画像処理装置と通信可能な携帯情報装置であって、
データを記憶するデータ記憶手段と、
画像を表示する表示手段と、
構造体の傾きを検出する傾き検出手段と、
前記表示手段に選択領域を表示する選択領域表示制御手段と、
前記傾き検出手段により第１の範囲内の傾きが検出される間は、前記表示手段の表示面に前記選択領域を通過する軌道を設定し、前記傾き検出手段により前記第１の範囲内の傾きが検出されていない間は、前記表示手段の表示面に前記選択領域を通過しない軌道を設定する軌道設定手段と、
前記記憶されたデータを識別するためのデータ識別情報を前記設定された起動に沿って移動可能に前記表示手段に表示する識別情報表示制御手段と、
前記軌道上を移動するデータ識別情報が前記選択領域に進入することに応じて、前記データ識別情報で特定されるデータを前記画像処理装置に送信し、前記画像処理装置に所定の処理を実行させる遠隔制御手段と、を備えた、携帯情報装置。
【請求項２】
前記画像処理装置が実行可能な１以上の処理各々を識別するための処理識別情報を前記画像処理装置から取得する能力取得手段と、
前記能力取得手段により取得された前記１以上の処理識別情報のうちから選択する処理選択手段と、をさらに備え、
前記遠隔制御手段は、前記画像処理装置に前記選択された処理識別情報で識別される処理を実行させる、請求項１に記載の携帯情報装置。
【請求項３】
前記処理選択手段は、前記傾き検出手段により第２の範囲の傾きが検出されるごとに、前記能力取得手段により取得された前記１以上の処理識別情報のうちから１つを選択する、請求項２に記載の携帯情報装置。
【請求項４】
前記処理選択手段は、前記第１の範囲を前記能力取得手段により取得された処理識別情報の処理数で分割した複数の分割範囲それぞれに、前記能力取得手段により取得された１以上の処理識別情を割り当てる割当手段を含み、
前記１以上の分割範囲のうち前記傾き検出手段により検出される傾きが属する分割範囲に割り当てられた処理識別情報を選択する、請求項２に記載の携帯情報装置。
【請求項５】
前記選択領域表示制御手段は、前記処理選択手段により選択された処理識別情報をさらに表示する、請求項２〜４のいずれかに記載の携帯情報装置。
【請求項６】
前記画像処理装置が備る複数の通信手段のいずれか１つと通信する無線通信手段をさらに備え、
前記複数の通信手段は、互いに通信可能な範囲の異なり、前記画像処理装置が実行可能な１以上の処理とそれぞれ関連付けられており、
前記選択領域表示制御手段は、前記複数の通信手段のうち前記無線通信手段が通信可能となっている通信手段と関連付けられた処理の処理識別情報をさらに表示する、請求項１に記載の携帯情報装置。
【請求項７】
請求項１〜６のいずれかに記載の携帯情報装置からデータを受信することに応じて、前記受信されたデータに所定の処理を実行する連携処理実行手段を、備えた画像処理装置。
【請求項８】
画像処理装置と通信可能な携帯情報装置で実行される遠隔制御方法であって、
前記携帯情報装置は、データを記憶するデータ記憶手段と、
画像を表示する表示手段と、を備えており、
構造体の傾きを検出するステップと、
前記表示手段に選択領域を表示するステップと、
前記傾きを検出するステップにおいて第１の範囲内の傾きが検出される間は、前記表示手段の表示面に前記選択領域を通過する軌道を設定し、前記傾きを検出するステップにおいて前記第１の範囲内の傾きが検出されていない間は、前記表示手段の表示面に前記選択領域を通過しない軌道を設定するステップと、
前記記憶手段に記憶されたデータを識別するためのデータ識別情報を前記設定された起動に沿って移動可能に前記表示手段に表示するステップと、
前記軌道上を移動するデータ識別情報が前記選択領域に進入することに応じて、前記データ識別情報で特定されるデータを前記画像処理装置に送信し、前記画像処理装置に所定の処理を実行させるステップと、を含む遠隔制御方法。
【請求項９】
画像処理装置と通信可能な携帯情報装置を制御するコンピュータで実行される遠隔制御プログラムであって、
前記携帯情報装置は、データを記憶するデータ記憶手段と、
画像を表示する表示手段と、を備えており、
構造体の傾きを検出するステップと、
前記表示手段に選択領域を表示するステップと、
前記傾きを検出するステップにおいて第１の範囲内の傾きが検出される間は、前記表示手段の表示面に前記選択領域を通過する軌道を設定し、前記傾きを検出するステップにおいて前記第１の範囲内の傾きが検出されていない間は、前記表示手段の表示面に前記選択領域を通過しない軌道を設定するステップと、
前記記憶手段に記憶されたデータを識別するためのデータ識別情報を前記設定された起動に沿って移動可能に前記表示手段に表示するステップと、
前記軌道上を移動するデータ識別情報が前記選択領域に進入することに応じて、前記データ識別情報で特定されるデータを前記画像処理装置に送信し、前記画像処理装置に所定の処理を実行させるステップと、を前記コンピュータに実行させる遠隔制御プログラム。
【発明の詳細な説明】
【技術分野】
【０００１】
この発明は携帯情報装置、画像処理装置、遠隔制御方法および遠隔制御プログラムに関し、特に、画像処理装置を遠隔制御する携帯情報装置、携帯情報装置により遠隔制御される画像処理装置、携帯情報装置により実行される遠隔制御方法、その遠隔制御方法をコンピュータに実行させる遠隔制御プログラムに関する。
【背景技術】
【０００２】
近年、ＰＤＡ（Ｐｅｒｓｏｎａｌ  Ｄｉｇｉｔａｌ  Ａｓｓｉｓｔａｎｔs）またはスマートフォン等の携帯情報装置は、電子化された文書を記憶可能であり、時と場所を選ばず、文書を閲覧したり、編集したりできる。さらに、携帯情報装置に記憶された文書を画像形成装置等の外部装置に無線で送信し、外部装置で印刷または記憶等の処理を実行させることができる。たとえば、特開２００５-２８４６５７号公報には、構造体の姿勢を検出する検出手段を有し、構造体が所定の姿勢であると判断した場合に、構造体が有する情報を外部装置へ伝送する技術が記載されている。
【０００３】
しかしながら、従来の技術では、予めユーザーにより選択された情報を、構造体を所定の姿勢に変位させる操作だけで外部装置に伝送することができるが、外部装置に送信する情報を選択するためには別の操作が必要である。このため、複数のデータのうちからデータを選択して送信したり、複数のデータを送信する順序を指定して送信したりするための操作が煩雑であるといった問題があった。
【特許文献１】特開２００５−２８４６５７号公報
【発明の概要】
【発明が解決しようとする課題】
【０００４】
この発明は上述した問題点を解決するためになされたもので、この発明の目的の１つは、画像処理装置の遠隔操作を容易にした携帯情報装置を提供することである。
【０００５】
この発明の他の目的は、遠隔操作を容易にした画像処理装置を提供することである。
【０００６】
この発明のさらに他の局面に従えば、画像処理装置の遠隔操作を容易にした遠隔制御方法を提供することである。
【０００７】
この発明のさらに他の局面に従えば、画像処理装置の遠隔操作を容易にした遠隔制御プログラムを提供することである。
【課題を解決するための手段】
【０００８】
上述した目的を達成するためにこの発明のある局面によれば、携帯情報装置は、画像処理装置と通信可能な携帯情報装置であって、データを記憶するデータ記憶手段と、画像を表示する表示手段と、構造体の傾きを検出する傾き検出手段と、表示手段に選択領域を表示する選択領域表示制御手段と、傾き検出手段により第１の範囲内の傾きが検出される間は、表示手段の表示面に選択領域を通過する軌道を設定し、傾き検出手段により第１の範囲内の傾きが検出されていない間は、表示手段の表示面に選択領域を通過しない軌道を設定する軌道設定手段と、記憶されたデータを識別するためのデータ識別情報を設定された軌道に沿って移動可能に表示手段に表示する識別情報表示制御手段と、軌道上を移動するデータ識別情報が選択領域に進入することに応じて、データ識別情報で特定されるデータを画像処理装置に送信し、画像処理装置に所定の処理を実行させる遠隔制御手段と、を備える。
【０００９】
この局面に従えば、構造体の傾きが検出され、第１の範囲内の傾きが検出される間は、選択領域を通過する軌道を設定し、第１の範囲内の傾きが検出されていない間は、選択領域を通過しない軌道が設定され、データ識別情報が軌道に沿って移動可能に表示され、軌道上を移動するデータ識別情報が選択領域に進入することに応じて、データ識別情報で特定されるデータが画像処理装置に送信され、画像処理装置によって所定の処理が実行される。このため、構造体を傾ける操作と、データ識別情報を選択領域に進入させる操作によって、画像処理装置に処理させるデータを特定し、画像処理装置にデータを送信することができる。また、構造体を傾ける操作で、データの識別情報が移動する軌道が選択領域を通過する軌道と通過しない軌道とを切り換えることができるので、遠隔操作を直感的な操作とすることができる。その結果、画像処理装置の遠隔操作を容易にした携帯情報装置を提供することができる。
【００１０】
好ましくは、画像処理装置が実行可能な１以上の処理各々を識別するための処理識別情報を画像処理装置から取得する能力取得手段と、能力取得手段により取得された１以上の処理識別情報のうちから選択する処理選択手段と、をさらに備え、遠隔制御手段は、画像処理装置に選択された処理識別情報で識別される処理を実行させる。
【００１１】
この局面に従えば、画像処理装置が実行可能な１以上の処理のうちから選択した処理を画像処理装置に実行させることができる。
【００１２】
好ましくは、処理選択手段は、傾き検出手段により第２の範囲の傾きが検出されるごとに、能力取得手段により取得された１以上の処理識別情報のうちから１つを選択する。
【００１３】
この局面に従えば、構造体が第２の範囲内の傾きが検出されるごとに、１以上の処理識別情報のうちから１つが選択されるので、構造体を傾ける操作で、１以上の処理のうちから画像処理装置に実行させる処理を選択することができる。
【００１４】
好ましくは、処理選択手段は、第１の範囲を能力取得手段により取得された処理識別情報の処理数で分割した複数の分割範囲それぞれに、能力取得手段により取得された１以上の処理識別情を割り当てる割当手段を含み、１以上の分割範囲のうち傾き検出手段により検出される傾きが属する分割範囲に割り当てられた処理識別情報を選択する。
【００１５】
この局面に従えば、画像処理装置が実行可能な１以上の処理の数で第１の範囲を分割した複数の分割範囲それぞれに、画像処理装置が実行可能な１以上の処理の処理識別情が割り当てられ、構造体の傾きが属する分割範囲に割り当てられた処理識別情報が選択されるので、構造体を傾ける量を加減する操作によって、１以上の処理のうちから画像処理装置に実行させる処理を選択することができる。
【００１６】
好ましくは、選択領域表示制御手段は、処理選択手段により選択された処理識別情報をさらに表示する。
【００１７】
この局面に従えば、選択された処理識別情報が表示されるので、画像処理装置に実行させる処理をユーザーに通知することができる。
【００１８】
好ましくは、画像処理装置が備る複数の通信手段のいずれか１つと通信する無線通信手段をさらに備え、複数の通信手段は、互いに通信可能な範囲の異なり、画像処理装置が実行可能な１以上の処理とそれぞれ関連付けられており、選択領域表示制御手段は、複数の通信手段のうち無線通信手段が通信可能となっている通信手段と関連付けられた処理の処理識別情報をさらに表示する。
【００１９】
この局面に従えば、画像処理装置に対する携帯情報装置の相対的な位置を異ならせれば、画像処理装置が備える複数の通信手段のうちから通信する無線通信手段を選択することができる。また、複数の通信手段には処理識別情報が関連付けられているので、画像処理装置に対する相対的な位置を異ならせることにより、画像処理装置に実行させる処理を選択することができる。
【００２０】
この発明のさらに他の局面に従えば、画像処理装置は、上記の携帯情報装置からデータを受信することに応じて、受信されたデータに所定の処理を実行する連携処理実行手段を、備える。
【００２１】
この局面に従えば、遠隔操作を容易にした画像処理装置を提供することができる。
【００２２】
この発明のさらに他の局面に従えば、遠隔制御方法は、画像処理装置と通信可能な携帯情報装置で実行される遠隔制御方法であって、携帯情報装置は、データを記憶するデータ記憶手段と、画像を表示する表示手段と、を備えており、構造体の傾きを検出するステップと、表示手段に選択領域を表示するステップと、傾きを検出するステップにおいて第１の範囲内の傾きが検出される間は、表示手段の表示面に選択領域を通過する軌道を設定し、傾きを検出するステップにおいて第１の範囲内の傾きが検出されていない間は、表示手段の表示面に選択領域を通過しない軌道を設定するステップと、記憶手段に記憶されたデータを識別するためのデータ識別情報を設定された軌道に沿って移動可能に表示手段に表示するステップと、軌道上を移動するデータ識別情報が選択領域に進入することに応じて、データ識別情報で特定されるデータを画像処理装置に送信し、画像処理装置に所定の処理を実行させるステップと、を含む。
【００２３】
この局面に従えば、画像処理装置の遠隔操作を容易にした遠隔制御方法を提供することができる。
【００２４】
この発明のさらに他の局面によれば、遠隔制御プログラムは、画像処理装置と通信可能な携帯情報装置を制御するコンピュータで実行される遠隔制御プログラムであって、携帯情報装置は、データを記憶するデータ記憶手段と、画像を表示する表示手段と、を備えており、構造体の傾きを検出するステップと、表示手段に選択領域を表示するステップと、傾きを検出するステップにおいて第１の範囲内の傾きが検出される間は、表示手段の表示面に選択領域を通過する軌道を設定し、傾きを検出するステップにおいて第１の範囲内の傾きが検出されていない間は、表示手段の表示面に選択領域を通過しない軌道を設定するステップと、記憶手段に記憶されたデータを識別するためのデータ識別情報を設定された軌道に沿って移動可能に表示手段に表示するステップと、軌道上を移動するデータ識別情報が選択領域に進入することに応じて、データ識別情報で特定されるデータを画像処理装置に送信し、画像処理装置に所定の処理を実行させるステップと、をコンピュータに実行させる。
【００２５】
この局面に従えば、画像処理装置の遠隔操作を容易にした遠隔制御プログラムを提供することができる。
【図面の簡単な説明】
【００２６】
【図１】本発明の実施の形態の１つにおける画像処理システムの全体概要を示す図である。
【図２】ＭＦＰの外観を示す斜視図である。
【図３】ＭＦＰのハードウエア構成の概要を示すブロック図である。
【図４】携帯情報装置のハードウエア構成の概要を示す機能ブロック図である。
【図５】携帯情報装置が備えるＣＰＵの機能の概要を示す機能ブロック図である。
【図６】メニュー画面の一例を示す図である。
【図７】通常状態における操作画面の一例を示す図である。
【図８】指示状態における操作画面の一例を示す図である。
【図９】送信状態における操作画面の一例を示す図である。
【図１０】遠隔操作処理の流れの一例を示すフローチャートである。
【図１１】連携処理実行処理の流れの一例を示すフローチャートである。
【図１２】変形例における遠隔操作処理の流れの一例を示すフローチャートである。
【図１３】第２の実施の形態におけるＭＦＰのハードウエア構成の概要を示すブロック図である。
【図１４】第２の実施の形態における遠隔操作処理の流れの一例を示すフローチャートである。
【図１５】第２の実施の形態における連携処理実行処理の流れの一例を示すフローチャートである。
【発明を実施するための形態】
【００２７】
以下、本発明の実施の形態について図面を参照して説明する。以下の説明では同一の部品には同一の符号を付してある。それらの名称および機能も同じである。したがってそれらについての詳細な説明は繰り返さない。
【００２８】
＜第１の実施の形態＞
図１は、本発明の実施の形態の１つにおける画像処理システムの全体概要を示す図である。図１を参照して、画像処理システム１は、画像処理装置としてのＭＦＰ（Ｍｕｌｔｉ  Ｆｕｎｃｔｉｏｎ  Ｐｅｒｉｐｈｅｒａｌ）１００と、携帯情報装置２００と、を含む。
【００２９】
ＭＦＰ１００は、原稿を読み取るためのスキャナ機能、画像データに基づいて紙などの記録媒体に画像を形成する画像形成機能、画像データを記憶するためのデータ記憶機能、画像データを送信するための通信機能、および、所定の範囲内に存在する携帯情報装置２００と通信する短距離無線通信機能を備えている。なお、本実施の形態においてはＭＦＰ１００を例に説明するが、ＭＦＰ１００に代えて、画像を処理する機能、および携帯情報装置２００と無線通信する機能を備えた装置であれば、たとえば、プリンタ装置、ファクシミリ装置、コンピュータ等であってもよい。
【００３０】
携帯情報装置２００は、一般的なＰＤＡであり、所定の距離の範囲内に存在する相手方の短距離無線通信装置を備えたＭＦＰ１００と無線通信する短距離無線装置を有する。短距離無線装置は、短距離の無線通信機能を有し、通信媒体は限定されず、たとえば、ＩｒＤＡ（Ｉｎｆｒａｒｅｄ  Ｄａｔａ  Ａｓｓｏｃｉａｔｉｏｎ）の通信規格、またはＢｌｕｅｔｏｏｔｈ（登録商標）等の通信規格で無線通信する機能を有する。
【００３１】
また、携帯情報装置２００は、アプリケーションプログラムをインストールすることにより、種々の処理を実行することが可能である。ここでは、携帯情報装置２００に、ＭＦＰ１００を遠隔制御し、携帯情報装置２００に記憶されたデータをＭＦＰ１００に処理させるためのアプリケーションプログラムがインストールされている場合を例に説明する。
【００３２】
図２は、ＭＦＰの外観を示す斜視図である。図３は、ＭＦＰのハードウエア構成の概要を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザーインターフェースとしての操作パネル１６０とを含む。
【００３３】
メイン回路１１０は、ＣＰＵ１１１と、通信インターフェース（Ｉ／Ｆ）部１１２と、ＲＯＭ１１３と、ＲＡＭ１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、短距離無線通信部１１８と、ＣＤ−ＲＯＭ１１９Ａが装着される外部記憶装置１１９と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００３４】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００３５】
操作パネル１６０は、ＭＦＰ１００の上面に設けられ、表示部１６０Ａと操作部１６０Ｂとを含む。表示部１６０Ａは、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６０Ｂは、複数のキーを備え、キーに対応するユーザーの操作による各種の指示、文字、数字などのデータの入力を受け付ける。操作部１６０Ｂは、表示部１６０Ａ上に設けられたタッチパネルをさらに含む。
【００３６】
通信Ｉ／Ｆ部１１２は、ＭＦＰ１００をネットワークに接続するためのインターフェースである。ＣＰＵ１１１は、通信Ｉ／Ｆ部１１２を介してネットワークに接続されたパーソナルコンピュータ（ＰＣ）またはサーバとの間で通信し、データを送受信する。また、通信Ｉ／Ｆ部１１２は、ネットワークを介してインターネットに接続されたコンピュータと通信が可能である。
【００３７】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部１４０に出力する。画像形成部１４０は、ファクシミリ部１１７により受信されたファクシミリデータを用紙にプリントする。また、ファクシミリ部１１７は、ＨＤＤ１１６に記憶されたデータをファクシミリデータに変換して、ＰＳＴＮに接続されたファクシミリ装置に送信する。
【００３８】
短距離無線通信部１１８は、通信可能な範囲内に携帯情報装置２００が存在する場合に、携帯情報装置２００の短距離無線通信部２０８（図４参照）と無線通信する。短距離無線通信部１１８の通信可能な距離は、所定の距離に制限されており、特に限定するものではないが、数メート〜１０数メートルであるのが好ましい。短距離無線通信部１１８は、通信可能な距離の範囲内に携帯情報装置２００が存在する場合には、携帯情報装置２００を検出し、通信可能な状態となる。
【００３９】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行する。なお、ＣＰＵ１１１が実行するプログラムは、ＣＤ−ＲＯＭ１１９Ａに記録されたプログラムに限られず、ＨＤＤ１１６に記憶されたプログラムをＲＡＭ１１４にロードして実行するようにしてもよい。この場合、ネットワークに接続された他のコンピュータが、ＭＦＰ１００のＨＤＤ１１６に記憶されたプログラムを書換える、または、新たなプログラムを追加して書き込むようにしてもよい。さらに、ＭＦＰ１００が、ネットワークに接続された他のコンピュータからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４０】
本実施の形態における画像処理システム１において、ＭＦＰ１００および携帯情報装置２００間で、データが送受信される。データを送受信するプロトコルは、特に限定されることはなく、任意のプロトコルを用いることが可能である。
【００４１】
図４は、携帯情報装置のハードウエア構成の概要を示す機能ブロック図である。図４を参照して、携帯情報装置２００は、携帯情報装置２００の全体を制御するためのＣＰＵ２０１と、カメラ２０２と、データを不揮発的に記憶するフラッシュメモリ２０３と、通話部２０５と接続された無線通信部２０４と、画像を表示する表示部２０６と、ユーザーの操作の入力を受け付ける操作部２０７と、短距離無線通信部２０８と、傾き検出センサー２１１と、を含む。
【００４２】
無線通信部２０４は、電話通信網に接続された携帯電話用基地局と無線通信する。無線通信部２０４は、携帯情報装置２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカを備え、無線通信部２０４から入力される音声をスピーカから出力し、マイクから入力される音声を無線通信部２０４に出力する。さらに、無線通信部２０４は、ＣＰＵ２０１により制御され、携帯情報装置２００を電子メールサーバに接続し、電子メールを送受信する。
【００４３】
カメラ２０２は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の光電変換素子を備え、レンズで集光した光をＣＭＯＳセンサーに結像し、ＣＭＯＳセンサーは受光した光を光電変換して画像データをＣＰＵ２０１に出力する。なお、ＣＭＯＳセンサーに代えて、ＣＣＤ（Ｃｈａｒｇｅ  Ｃｏｕｐｌｅｄ  Ｄｅｖｉｃｅｓ）センサーを用いるようにしてもよい。
【００４４】
表示部２０６は、液晶表示装置（ＬＣＤ）、有機ＥＬＤ等の表示装置であり、ユーザーに対する指示メニューや取得した画像データに関する情報等を表示する。操作部２０７は、複数のキーと、タッチパネルとを備える。操作部２０７は、複数のキーに対応するユーザーの操作による各種の指示、文字、数字などのデータの入力を受け付ける。また、ユーザーが、表示部２０６の表示面を指示する場合、操作部２０７は、タッチパネルにより検出される表示面の位置をＣＰＵ２０１に出力する。ＣＰＵ２０１は、タッチパネルによる検出された位置に基づいて、表示部２０６に表示されている画面中でユーザーにより指示された位置を検出する。
【００４５】
短距離無線通信部２０８は、ＭＦＰ１００が通信可能な距離の範囲内に存在する場合に、ＭＦＰ１００が備える短距離無線通信部１１８と、予め定められた通信プロトコルで無線通信する。短距離無線通信部２０８は、通信距離が限られており、特に限定するものではないが、数メート〜１０数メートルであるのが好ましい。短距離無線通信部２０８は、通信可能な距離の範囲内にＭＦＰ１００が存在する場合には、ＭＦＰ１００を検出し、通信可能な状態となる。
【００４６】
傾き検出センサー２１１は、携帯情報装置２００本体（構造体）に固定されており、本体の傾きを検出する。傾き検出センサー２１１は、ジャイロセンサーおよび／または加速度センサーである。傾き検出センサー２１１は、本体の傾きを検出し、検出された傾きの方向と傾き角度を、ＣＰＵ２０１に出力する。
【００４７】
図５は、携帯情報装置が備えるＣＰＵの機能の概要を示す機能ブロック図である。図５に示すＣＰＵ２０１の機能は、ＣＰＵ２０１が、遠隔制御プログラムを実行することにより、ＣＰＵ２０１に形成される。図５を参照して、ＣＰＵ２０１は、短距離無線通信部２０８を制御する通信制御部２５１と、ＭＦＰ１００から能力情報を取得する能力取得部２５３と、携帯情報装置２００本体の傾きを検出する傾き検出部２５５と、ＭＦＰ１００が実行可能な複数の処理のうちから１つを選択する処理選択部２５７と、表示部２０６の表示面中に軌道を設定する軌道設定部２６１と、表示部２０６の表示面中に選択領域を表示する選択領域表示制御部２５９と、フラッシュメモリ２０３に記憶されたデータを識別するための識別情報を軌道に沿って移動可能に表示する識別情報表示制御部２６３と、ＭＦＰ１００を遠隔制御する遠隔制御部２６５と、を含む。
【００４８】
通信制御部２５１は、短距離無線通信部２０８を制御する。通信制御部２５１は、短距離無線通信部２０８が、他の装置、ここではＭＦＰ１００と通信可能か否かを判断する。携帯情報装置２００に遠隔処理実行プログラムがインストールされる時点で、ＭＦＰ１００の装置識別情報を予め登録しておき、予め登録されたＭＦＰ１００と通信可能となったか否かを判断する。装置識別情報は、ＭＦＰ１００との間で任意に定めることができるが、ＭＡＣ（Ｍｅｄｉａ  Ａｃｃｅｓｓ  Ｃｏｎｔｒｏｌ）アドレスなどを用いるようにしてもよい。短距離無線通信部２０８は、通信可能な範囲が制限されるので、短距離無線通信部２０８がＭＦＰ１００と通信可能になる場合、携帯情報装置２００を携帯するユーザーとＭＦＰ１００との間の距離が、短距離無線通信部２０８が通信可能な距離以内となる場合である。通信制御部２５１は、短距離無線通信部２０８がＭＦＰ１００と通信可能になると、能力取得部２５３および遠隔制御部２６５に、通信可能となったことを示す通信許可信号を出力する。
【００４９】
能力取得部２５３は、通信制御部２５１から通信許可信号が入力されると、能力情報の送信要求を通信制御部２５１を介してＭＦＰ１００に送信する。ＭＦＰ１００は、能力情報の送信要求を受信すると能力情報を返信するので、短距離無線通信部２０８がＭＦＰ１００から能力情報を受信する。能力取得部２５３は、通信制御部２５１を介して、ＭＦＰ１００から受信された能力情報を取得する。能力取得部２５３は、取得された能力情報を処理選択部２５７に出力する。
【００５０】
ＭＦＰ１００の能力情報は、ＭＦＰ１００が実行可能な処理であって、遠隔制御されることが可能な処理として設定されている処理を識別するための処理識別情報を含む。能力情報は、複数の処理識別情報を含む場合がある。ここでは、ＭＦＰ１００が、画像データの画像を形成する画像形成処理と、画像データを記憶する画像データ記憶処理と、画像データを送信する画像データ送信処理とが、遠隔制御される処理として設定されている場合を例に説明する。この場合、能力情報は、画像形成処理、画像データ記憶処理および画像データ送信処理それぞれを識別するための処理識別情報を含む。
【００５１】
傾き検出部２５５は、傾き検出センサー２１１と接続され、傾き検出センサー２１１の出力が入力される。傾き検出センサー２１１の出力は、携帯情報装置２００本体が回転する角加速度である。ここでは、傾き検出センサー２１１は３軸の角加速度を検出し、出力する場合を例に説明する。傾き検出部２５５は、傾き検出センサー２１１が出力する角加速度を、所定の回転方向の成分を積分することにより、基準位置からの回転角度を算出する。ここでは、傾き検出部２５５は、ＣＰＵ２０１により遠隔制御プログラムが実行された時点を基準時点とし、基準時点から角加速度の積分を開始し、積分値である回転角度を出力する。したがって、傾き検出部２５５が算出する回転角度は、基準時点における携帯情報装置２００の姿勢を基準姿勢とし、基準姿勢からの姿勢の変化量を、予め定められた所定方向に回転した角度で示す値である。傾き検出部２５５は、算出された回転角度を、処理選択部２５７および軌道設定部２６１に出力する。
【００５２】
処理選択部２５７は、能力取得部２５３から能力情報が入力され、傾き検出部２５５から回転角度が入力される。処理選択部２５７は、割当部２７１を含む。割当部２７１は、予め定められた角度の範囲を、能力取得部２５３から入力される能力情報に含まれる処理識別情報の数の分割範囲に分割し、処理識別情報の数と同じ数の分割範囲を設定する。そして、複数の分割範囲それぞれに、能力情報に含まれる複数の処理識別情報のいずれか１つを割り当てる。ここでは、能力情報が画像形成処理、画像データ記憶処理および画像データ送信処理の３つの処理の処理識別情報を含んでいる。この場合、予め定められた角度の範囲を、１０〜２５度とすれば、１０〜２５度を３つに分割して、１０度以上〜１５度未満の第１分割範囲、１５度以上〜２０度未満の第２分割範囲、および２０度以上〜２５度未満の第３分割範囲を生成する。そして、第１分割範囲に画像形成処理の処理識別情報を割り当て、第２分割範囲に画像データ記憶処理の処理識別情報を割り当て、第３分割範囲に画像データ送信処理の処理識別情報を割り当てる。
【００５３】
処理選択部２５７は、傾き検出部２５５から入力される回転角度が、第１〜第３分割範囲のいずれに属するかを判断する。そして、処理選択部２５７は、第１〜第３分割範囲のうち傾き検出部２５５から入力される回転角度が属する分割範囲に割り当てられた処理識別情報を選択する。処理選択部２５７は、選択された処理識別情報を選択領域表示制御部２５９に出力する。
【００５４】
選択領域表示制御部２５９は、表示部２０６の表示面中に、選択領域を表示する。ここでは、選択領域表示制御部２５９は、表示部２０６の表示面中の予め定められた位置に、選択領域を表示する。選択領域表示制御部２５９は、処理選択部２５７から入力される処理識別情報を、ユーザーが識別可能な態様で、選択領域を表示する。選択領域の近傍に、処理識別情報の文字列を表示するようにしてもよいし、処理識別情報ごとに形状および／または色が異なる選択領域を表示するようにしもよい。選択領域表示制御部２５９は、処理選択部２５７から入力される処理識別情報を遠隔制御部２６５に出力する。
【００５５】
軌道設定部２６１は、傾き検出部２５５から回転角度が入力される。軌道設定部２６１は、傾き検出部２５５から入力される回転角度が、予め定められた第１の範囲に含まれる場合に、選択領域表示制御部２５９により表示される選択領域を通過する軌道を、表示部２０６の表示面内に設定する。軌道設定部２６１は、傾き検出部２５５から入力される回転角度が、第１の範囲に含まれない場合に、選択領域表示制御部２５９により表示される選択領域を回避する軌道を、表示部２０６の表示面内に設定する。軌道設定部２６１は、設定した軌道を、識別情報表示制御部２６３に出力する。軌道は、表示部２０６の表示面中の位置で示される。なお、表示部２０６中に、選択領域を通過する第１軌道と、選択領域を通過しない第２軌道とを予め定めておき、軌道設定部２６１は、傾き検出部２５５から入力される回転角度が第１の範囲に含まれる場合に第１軌道を設定し、傾き検出部２５５から入力される回転角度が第１の範囲に含まれない場合に第２軌道を設定するようにしてもよい。この場合には、軌道設定部２６１は、第１軌道および第２軌道のうち設定した軌道を識別する情報を、識別情報表示制御部２６３に出力すればよい。
【００５６】
識別情報表示制御部２６３は、フラッシュメモリ２０３の予め定められた領域に記憶された画像データを識別するための識別情報を、表示部２０６に表示する。識別情報表示制御部２６３は、画像データの識別情報を、表示部２０６に軌道設定部２６１によって設定された軌道上を移動可能に表示する。画像データの識別情報は、画像データを縮小したサムネイルなどの縮小画像であってもよいし、画像データのファイル名であってもよい。識別情報表示制御部２６３は、フラッシュメモリ２０３の予め定められた領域に記憶された画像データが複数の場合、複数の画像データそれぞれの識別情報を、軌道上に配列して表示する。
【００５７】
識別情報表示制御部２６３は、操作部２０７が備えるタッチパネルが、軌道の周辺をなぞる、いわゆるフリック操作を検出すると、画像データの識別情報を、軌道に沿って移動させる表示をする。これにより、ユーザーは、軌道の周辺をフリックする操作を入力することによって、画像データの識別情報が表示される位置を、軌道上で移動させることができる。軌道上に配列可能な識別情報の数には限度があるので、限度数以上の画像データが存在する場合には、識別情報表示制御部２６３は、複数の画像データのうちから限度数の画像データをフリック操作に伴って順に選択し、選択された限度数の画像データの識別情報を表示する。識別情報表示制御部２６３は、画像データの識別情報が表示される位置とその画像データの識別情報との組を、遠隔制御部２６５に出力する。
【００５８】
軌道設定部２６１により設定される軌道は、携帯情報装置２００本体の回転角度が第１の範囲に含まれる場合には、選択領域を通過し、携帯情報装置２００本体の回転角度が第１の範囲に含まれない場合には、選択領域を通過しない。このため、画像データの識別情報は、携帯情報装置２００本体の回転角度が第１の範囲に含まれる場合には選択領域を通過するが、それ以外の場合には選択領域を通過しない。
【００５９】
遠隔制御部２６５は、選択領域表示制御部２５９から処理識別情報が入力され、識別情報表示制御部２６３から識別情報とその識別情報の表示面中の位置との組が入力される。遠隔制御部２６５は、表示部２０６に表示された画像データの識別情報が、選択領域に進入したか否かを判断する。具体的には、識別情報表示制御部２６３から入力される識別情報の表示面中の位置が、選択領域内に含まれるならば、識別情報が選択領域に進入したと判断する。遠隔制御部２６５は、画像データの識別情報が選択領域に進入したと判断する場合、選択領域に進入した識別情報の画像データと処理識別情報との組みを、通信制御部２５１を介して、ＭＦＰ１００に送信する。
【００６０】
ＭＦＰ１００においては、携帯情報装置２００から画像データと処理識別情報との組を受信すると、受信された画像データに対して処理識別情報で特定される処理を実行する。処理識別情報が、画像形成処理を特定するならば画像データの画像を形成し、処理識別情報が、画像データ記憶処理を特定するならば画像データを予め定められた位置に記憶し、処理識別情報が、画像データ送信処理を特定するならば画像データを予め定められた宛先に送信する。
【００６１】
図６は、メニュー画面の一例を示す図である。図６を参照して、メニュー画面３０１は、アプリケーションプログラムを起動するための複数のボタンを含む。ボタン３０３は、遠隔制御プログラムを起動するためのボタンであり、携帯情報装置２００に遠隔制御プログラムがインストールされると、メニュー画面３０１に追加される。
【００６２】
図７は、通常状態における操作画面の一例を示す図である。図７に示す操作画面３３１は、ＣＰＵ２０１が遠隔制御プログラムを起動した直後の通常状態において、表示部２０６に表示される画面である。換言すれば、図７に示す操作画面３３１は、携帯情報装置２００本体の傾きである回転角度が０度の通常状態において表示される操作画面である。図７を参照して、操作画面３３１は、本体の回転角度が０度の状態において、選択領域３２１と、軌道３２５に沿って配置された複数の画像データ各々のサムネイル３１１〜３１７と、を含む。軌道３２５は、選択領域３２１を横切ることなく、回避するように設定される。図では、軌道３２５を点線で示しているが、必ずしも軌道３２５は視認可能に表示される必要はない。
【００６３】
なお、図中においては、７つのサムネイル３１１〜３１７を表示する例を示すが、サムネイルの数を限定するものではない。サムネイル３１１〜３１７は、フラッシュメモリ２０３に記憶された画像データの識別情報である。ユーザーが、軌道３２５に沿ってフリック操作を入力すれば、サムネイル３１１〜３１７が、軌道３２５に沿って移動する。フラッシュメモリ２０３に８以上の画像データが記憶されている場合には、サムネイル３１１〜３１７の移動に伴ってフラッシュメモリ２０３に記憶された画像データのうちから７つを順に選択し、選択のされた７つの画像データのサムネイルを順に表示するようにすればよい。これにより、フラッシュメモリ２０３に記憶された複数の画像データすべての識別情報を、軌道３２５上に表示することができる。さらに、軌道３２５上に表示されたサムネイル３１１〜３１７を、軌道３２５上の任意の位置に移動させることができる。軌道３２５は、選択領域３２１を通過しないので、軌道３２５上を移動するサムネイル３１１〜３１７が、選択領域３２１に進入することはない。
【００６４】
図８は、指示状態における操作画面の一例を示す図である。図８に示す操作画面３３１は、携帯情報装置２００本体の傾きである回転角度θが第１の範囲の第１の分割範囲内にある指示状態において表示される操作画面である。第１の分割範囲は、ここでは、１０度≦θ＜２０度の範囲としている。図８を参照して、操作画面３３１は、図７に示した通常状態における操作画面３３１と異なる点は、軌道３２５Ａが選択領域３２１を通過する点、選択領域３２１の上方に処理識別情報を表示する領域３２３が追加された点である。
【００６５】
選択領域３２１の近傍の領域３２３に処理識別情報がされるので、有効に選択されている処理をユーザーに通知することができる。ユーザーが、軌道３２５Ａに沿ってフリック操作を入力すれば、サムネイル３１１〜３１７が、軌道３２５に沿って移動する。軌道３２５Ａは、選択領域３２１を通過するため、サムネイル３１１〜３１７のいずれかが選択領域３２１内に進入する。図８においては、サムネイル３１１が選択領域３２１に進入している状態を示している。この状態において、サムネイル３１１で特定される画像データと領域３２３に表示されている処理識別情報との組が、ＭＦＰ１００に送信され、ＭＦＰ１００において、サムネイル３１１で特定される画像データに対して、領域３２３に表示されている処理識別情報で特定される画像形成処理が実行される。
【００６６】
図９は、送信状態における操作画面の一例を示す図である。図９を参照して、送信状態における操作画面３３１は、図８に示した指示状態と比較して、送信中の文字を含む状態表示領域３２７を含み、サムネイル３１１が状態表示領域３２７に移動する様子が表示される。これにより、サムネイル３１１で特定される画像データが、ＭＦＰ１００に送信されている最中であることをユーザーに通知することができる。
【００６７】
図１０は、遠隔操作処理の流れの一例を示すフローチャートである。遠隔操作処理は、ＣＰＵ２０１が、フラッシュメモリ２０３に記憶されたが遠隔操作処理プログラムを実行することにより、ＣＰＵ２０１により実行される処理である。図１０を参照して、通信可能なＭＦＰ１００が存在するか否かを検出する（ステップＳ０１）。通信可能なＭＦＰが検出されるまで待機状態となり、通信可能なＭＦＰ１００が検出されると、処理をステップＳ０２に進める。換言すれば、遠隔制御処理は、携帯情報装置２００がＭＦＰ１００と通信可能となることを条件に実行される処理である。
【００６８】
ステップＳ０２においては、ＭＦＰ１００と無線通信による接続が成功したか否かを判断する。無線接続が成功するまで待機状態となり、無線接続が成功すると、処理をステップＳ０３に進める。ステップＳ０３においては、選択領域３２１を表示部２０６に表示する。次のステップＳ０４においては、能力送信要求をＭＦＰ１００に送信する。能力送信要求受信するＭＦＰ１００は、遠隔制御が可能に設定された処理の処理識別情報を含む能力情報を返信するので、能力情報を受信する（ステップＳ０５）。ここでは、画像形成処置、画像データ記憶処理および画像データ送信処理の３つの処理識別情報を含む能力情報を、ＭＦＰ１００から受信する場合を例に説明する。
【００６９】
次のステップＳ０６においては、ステップＳ０７において受信された能力情報に含まれる処理識別情報に分割範囲を割り当てる。具体的には、予め定めれた第１の範囲である１０〜２５度を、能力情報に含まれる処理識別情報の数「３」で分割する。ここでは、１０〜２５度を３つに分割して、１０度以上〜１５度未満の第１分割範囲、１５度以上〜２０度未満の第２分割範囲、および２０度以上〜２５度未満の第３分割範囲を生成する。そして、第１分割範囲に画像形成処理の処理識別情報を割り当て、第２分割範囲に画像データ記憶処理の処理識別情報を割り当て、第３分割範囲に画像データ送信処理の処理識別情報を割り当てる。
【００７０】
次のステップＳ０７においては、処理対象となる処理識別情報を選択する。ステップＳ０５において受信された能力情報に含まれる３つの処理識別情報のうちから任意の処理識別情報を処理対象として選択する。例えば、画像形成処理を処理対象として選択する。次のステップＳ０８においては、処理対象に設定されている処理識別情報を、表示部２０６に表示する。次のステップＳ０９においては、回転角度を検出する。傾き検出センサー２１１が出力する角加速度を積分することにより、回転角度を検出する。そして検出された回転角度が第１の範囲に含まれるか否かを判断する（ステップＳ１０）。回転角度が第１の範囲内ならば処理をステップＳ１１に進めるが、そうでなければ処理をステップＳ１５に進める。ここでは、第１の範囲を１０度〜２５度としている。
【００７１】
ステップＳ１１においては、ステップＳ０３において表示された選択領域を通過する軌道３２５Ａを表示部２０６の表示面中に設定する。次のステップＳ１２においては、回転角度が属する分割範囲を特定する。ステップＳ０６において第１の範囲を分割した第１〜第３分割範囲のいずれかを特定する。回転角度が１０度以上〜１５度未満ならば第１分割範囲を特定し、１５度以上〜２０度未満ならば第２分割範囲を特定し、回転角度が２０度以上〜２５度未満ならば第３分割範囲を特定する。ステップＳ１３においては、ステップＳ１２において特定された分割範囲に対して、ステップＳ０６において割り当てられた処理識別情報を処理対象に設定する。そして、処理対象の処理識別情報を表示部２０６に表示する。これにより、操作画面３３１の領域３２３に処理識別情報が表示される。
【００７２】
一方、ステップＳ１５においては、ステップＳ０３において表示された選択領域３２１
を通過しない軌道３２５を表示部２０６の表示面中に設定する。
【００７３】
ステップＳ１６においては、フラッシュメモリ２０３に記憶されている画像データのサムネイルをステップＳ１１またはステップＳ１５において設定された軌道に沿って表示部２０６に表示する。次のステップＳ１７においては、フリック操作を受け付けたか否かを判断する。表示部２０６に設定された軌道に沿ったフリック操作を受け付けたならば処理をステップＳ１８に進めるが、そうでなければ処理をステップＳ２３に進める。ステップＳ１８においては、ステップＳ１６において表示されたサムネイルを軌道に沿って移動させる。そして次のステップＳ１９において、選択領域３２１に進入したサムネイルが存在するか否かを判断する。ステップＳ１１において選択領域３２１を通過する軌道が設定されている場合、軌道３２５Ａに沿って移動するサムネイルが選択領域を通過する場合がある。選択領域３２１に進入したサムネイルが存在するならば処理をステップＳ２０に進め、そうでなければ処理をステップＳ２３に進める。
【００７４】
ステップＳ２０においては、選択領域３２１に進入したサムネイルのデータを特定する。そして、特定されたデータをＭＦＰ１００に送信する（ステップＳ２１）。次のステップＳ２２においては、ステップＳ１３において処理対象に設定されている処理識別情報をＭＦＰ１００に送信する。次のステップＳ２３においては、終了指示を受け付けたか否かを判断する。遠隔制御処理の終了を指示する操作を受け付けたならば終了指示を受け付ける。終了指示を受け付けたならば処理を終了するが、そうでなければ処理をステップＳ０９に戻す。
【００７５】
図１１は、連携処理実行処理の流れの一例を示すフローチャートである。連携処理実行処理は、ＭＦＰ１００が備えるＣＰＵ１１１が、ＨＤＤ１１６．ＥＰＲＯＭ１１５またはＣＤ−ＲＯＭ１１９Ａに記憶された連携処理実行プログラムを実行することにより、ＣＰＵ１１１により実行される処理である。図１１を参照して、ＣＰＵ１１１は、接続要求を受信したか否かを判断する（ステップＳ５１）。短距離無線通信部１１８が、携帯情報装置２００から接続要求を受信したか否かを判断する。接続要求を受信するまで待機状態となり（ステップＳ５１でＮＯ）、接続要求を受信すると（ステップＳ５１でＹＥＳ）、処理をステップＳ５２に進める。
【００７６】
ステップＳ５２においては、接続に成功したか否かを判断する。接続要求を送信してきた携帯情報装置２００との間で、通信が確立したか否かにより判断する。接続に成功したならば処理をステップＳ５３に進めるが、そうでなければ処理を終了する。次のステップＳ５３においては、能力送信要求を受信したか否かを判断する。能力送信要求を受信したならば処理をステップＳ５４に進めるが、そうでなければ処理をステップＳ５５に進める。ステップＳ５４においては、処理識別情報を含む能力情報を返信する。
【００７７】
そして、ステップＳ５２において接続に成功した携帯情報装置２００からデータを受信したか否かを判断する。データを受信したならば処理をステップＳ５６に進めるが、そうでなければ処理をステップＳ５９に進める。ステップＳ５６においては、処理識別情報を受信する。データを送信してきた携帯情報装置２００は、データと共に、処理識別情報を送信するので、その処理識別情報を受信する。次のステップＳ５７においては、連携処理を特定する。ステップＳ５６において受信された処理識別情報で特定される処理を、連携処理に特定する。
【００７８】
そして、ステップＳ５５において受信されたデータに、ステップＳ５７において特定された連携処理を実行し（ステップＳ５８）、処理をステップＳ５９に進める。ステップＳ５６において受信された処理識別情報が、画像形成処理を示すならば、ステップＳ５５において受信された画像データの画像を形成する。ステップＳ５６において受信された処理識別情報が画像データ記憶処理を示すならば、ステップＳ５５において受信された画像データを、ＨＤＤ１１６の予め定められた領域に記憶する。ステップＳ５６において受信された処理識別情報が画像データ送信処理を示すならば、ステップＳ５５において受信された画像データを、予め定められた宛先に送信する。
【００７９】
ステップＳ５９においては、終了指示を受け付けたか否かを判断する。ステップＳ５２において通信接続が成功した携帯情報装置との通信が切断されることにより、終了指示を受け付ける。終了指示を受け付けるならば処理を終了するが、そうでなければ処理をステップＳ５３に戻す。
【００８０】
以上説明したように、本実施の形態における携帯情報装置２００は、ＭＦＰ１００との間の距離が通信可能な距離の場合に、本体の傾きを検出し、第１の範囲内の傾きが検出される間は選択領域３２１を通過する軌道３２５Ａを表示部２０６に設定し、第１の範囲内の傾きが検出されていない間は選択領域３２１を通過しない軌道３２５を表示部２０６に設定する。そして、フラッシュメモリ２０３に記憶されたデータのサムネイル３１１〜３１７を軌道３２５，３２５Ａに沿って移動可能に表示し、軌道３２５，３２５に沿ったフリック操作がされると、軌道３２５，３２５Ａ上をサムネイル３１１〜３１９を移動させる。選択領域３２１を通過する軌道３２５Ａが設定されている状態で、サムネイル３１１〜３１９のうち１つ、ここではサムネイル３１１が選択領域３２１に進入すると、サムネイル３１１に対応するデータと、連携処理の処理識別情報と、をＭＦＰ１００に送信する。ＭＦＰ１００では、携帯情報装置２００から受信されるデータに、処理識別情報で特定される連携処理を実行する。このため、携帯情報装置２００の本体を傾ける操作と、フリック操作によって、ＭＦＰ１００に処理させるデータを特定し、ＭＦＰ１００にデータを送信することができる。また、携帯情報装置２００の本体を傾ける操作で、データのサムネイルが移動する軌道３２５，３２５Ａが選択領域３２１を通過する軌道３２５と通過しない軌道３２５Ａとを切り換えるので、遠隔操作を直感的な操作とすることができる。
【００８１】
また、ＭＦＰ１００が実行可能な複数の連携処理の数で第１の範囲を分割した複数の分割範囲それぞれに、ＭＦＰ１００が実行可能な複数の連携処理各々の処理識別情を割り当て、携帯情報装置２００の本体の傾きが属する分割範囲に割り当てられた処理識別情報を選択するので、携帯情報装置２００の本体を傾ける量を加減する操作によって、複数の連携処理のうちからＭＦＰ１００に実行させる処理を選択することができ、操作が容易となる。
【００８２】
さらに、選択された処理識別情報を領域３２３に表示するので、ＭＦＰ１００に実行させる処理をユーザーに通知することができる。
【００８３】
＜変形例＞
上述した実施の形態においては、携帯情報装置２００は、第１の範囲をＭＦＰ１００が実行可能な処理の数の分割範囲に分割し、複数の分割範囲にＭＦＰ１００が実行可能な複数の処理をそれぞれ割り当て、ユーザーが携帯情報装置２００を回転させる角度によって、ＭＦＰ１００が実行可能な複数の連携処理のいずれかの指定を可能とした。変形例においては、携帯情報装置２００を第１の範囲を超える第２の範囲だけ回転させることにより、複数の連携処理を順に選択するようにしたものである。その他の構成は、上述した画像処理システム１と同じなので、ここでの異なる点を主に説明する。
【００８４】
図１２は、変形例における遠隔操作処理の流れの一例を示すフローチャートである。図１２を参照して、図１０に示した遠隔操作処理と異なる点は、ステップＳ０６、ステップＳ１２〜ステップＳ１４が削除された点、およびステップＳ０９とステップＳ１０との間にステップＳ３１〜ステップＳ３３が追加された点である。その他の処理は図１０に示した処理と同じなので、ここでは説明を繰り返さない。
【００８５】
ステップＳ３１においては、ステップＳ０９において検出された回転角度が第２の範囲か否かを判断する。第２の範囲は、第１の範囲の最大値よりも大きな角度の範囲である。回転角度が第２の範囲ならば処理をステップＳ３２に進めるが、そうでなければ処理をステップＳ１０に進める。ステップＳ３２においては、処理対象に設定されている処理識別情報を、次の処理識別情報に切り換える。
【００８６】
次のステップＳ３３においては、処理対象が切り換えられた後の処理識別情報を、表示部２０６の領域３２３に表示し、処理をステップＳ１０に進める。ここでは、画像形成処理、画像データ記憶処理、および画像データ送信処理の３つの処理識別情報の順番が定められているとし、たとえば、画像形成処理が処理対象に選択される場合、携帯情報装置２００の本体が回転して回転角度が第２の範囲に含まれると、処理対象とする処理識別情報を、それまで処理対象に設定されている画像形成処理から次の順番の画像データ記憶処理に切り換える。さらに携帯情報装置２００の姿勢が回転して回転角度が０度に戻された後に、再び第２の範囲になると、それまで処理対象に設定されている画像データ記憶処理を、次の順番の画像データ送信処理に切り替える。このように、ユーザーは、携帯情報装置２００を回転角度が第２の範囲になるまで姿勢を変更する操作をするだけで、ＭＦＰ１００を遠隔操作して、実行させるための処理を切り換えることができる。このため、本体の傾きが第２の範囲になるごとに、ＭＦＰ１００が実行可能な複数の連携処理のうちから順に１つを選択するので、ＭＦＰ１００が実行可能な複数の連携処理のうちから１つを選択する操作を容易にすることができる。
【００８７】
＜第２の実施の形態＞
第１の実施の形態においては、ＭＦＰ１００が、１つの短距離無線通信部１１８を備えるものであった。第２の実施の形態における画像処理システム１は、ＭＦＰ１００が、複数の短距離無線通信部１１８，１１８Ａ，１１８Ｂを備えるようにしたものである。その他の構成は、第１の実施の形態における画像処理システム１と同じなので、ここでは異なる点をおもに説明する。
【００８８】
図１３は、第２の実施の形態におけるＭＦＰのハードウエア構成の概要を示すブロック図である。図３に示したハードウエア構成と異なる点は、短距離無線通信部１１８Ａ，１１８Ｂが追加された点である。短距離無線通信部１１８，１１８Ａ，１１８Ｂは、機能は同じであるが、指向性を有し、それぞれがＭＦＰ１００に設置される位置が異なる。ここでは、短距離無線通信部１１８は、指向方向がＭＦＰ１００に向かって右側を向く方向に設置され、短距離無線通信部１１８Ａは、指向方向がＭＦＰ１００から正面を向く方向に設定され、短距離無線通信部１１８Ｂは、指向方向がＭＦＰ１００の左側を向く方向に設置される。このため、携帯情報装置２００が、ＭＦＰ１００に向かって右側の領域に存在する場合、短距離無線通信部１１８が携帯情報装置２００と通信可能になり、携帯情報装置２００が、ＭＦＰ１００に向かって正面の領域に存在する場合、短距離無線通信部１１８Ａが携帯情報装置２００と通信可能になり、携帯情報装置２００が、ＭＦＰ１００に向かって左側の領域に存在する場合、短距離無線通信部１１８Ｂが携帯情報装置２００と通信可能になる。
【００８９】
また、短距離無線通信部１１８，１１８Ａ，１１８Ｂは、ＭＦＰ１００が遠隔操作される連携処理として予め定められた３つの処理のうち１つがそれぞれ対応付けられる。ここでは、短距離無線通信部１１８に画像形成処理を連携処理として対応付け、短距離無線通信部１１８Ａに画像データ記憶処理を連携処理として対応付け、短距離無線通信部１１８Ｂに画像データ送信処理を連携処理として対応付けている。
【００９０】
したがって、携帯情報装置２００を携帯するユーザーが、ＭＦＰ１００に向かって右側の領域に位置する場合、ＭＦＰ１００が実行する連携処理として画像形成処理を選択させ、携帯情報装置２００を携帯するユーザーが、ＭＦＰ１００に向かって正面の領域に存在する場合、ＭＦＰ１００が実行する連携処理として画像データ記憶処理を選択させ、携帯情報装置２００を携帯するユーザーが、ＭＦＰ１００に向かって左側の領域に存在する場合、ＭＦＰ１００が実行する連携処理として画像データ送信処理を選択させることができる。
【００９１】
第２の実施の形態における携帯情報装置２００のハードウエア構成は、図４に示したハードウエア構成と同じである。第２の実施の形態における携帯情報装置２００が備えるＣＰＵ２０１の機能は、図５に示したブロック図において、処理選択部２５７が削除された点を除き、同じである。
【００９２】
図１４は、第２の実施の形態における遠隔操作処理の流れの一例を示すフローチャートである。図１０に示した遠隔操作処理と異なる点は、ステップＳ０４〜ステップＳ０６、ステップＳ１２〜ステップＳ１４およびステップＳ２２が削除された点、ステップＳ０２とステップＳ０３との間にステップＳ０２が追加された点である。その他の処理は、図１０に示した処理と同じなので、ここでは処理を繰り返さない。
【００９３】
ステップＳ０２において、ＭＦＰ１００との間の通信が確立する。この場合、ＭＦＰ１００が備える短距離無線通信部１１８，１１８Ａ、１１８Ｂのいずれかとの間で、通信が確立する。ＭＦＰ１００は、短距離無線通信部１１８，１１８Ａ、１１８Ｂのいずれかが携帯情報装置２００との間で通信が確立すると、通信が確立したものに対応付けられた連携処理の処理識別情報を送信する。ステップＳ０２Ａにおいては、短距離無線通信部２０８を制御して、短距離無線通信部１１８，１１８Ａ、１１８Ｂのうち通信が確立したものから連携処理の処理識別情報を受信する。ステップＳ０２Ａにおいて受信された連携処理の処理識別情報は、ステップＳ０８において、表示部２０６の領域３２３に表示される。このため、ＭＦＰ１００において実行される連携処理の処理識別情報が、表示部２０６の領域３２３に表示されるので、携帯情報装置２００のユーザーに、ＭＦＰ１００において実行される処理を通知することができる。
【００９４】
図１５は、第２の実施の形態における連携処理実行処理の流れの一例を示すフローチャートである。図１５を参照して、ＣＰＵ１１１は、接続要求を受信したか否かを判断する（ステップＳ６１）。短距離無線通信部１１８，１１８Ａ，１８８Ｂのいずれかが、携帯情報装置２００から接続要求を受信したか否かを判断する。接続要求を受信するまで待機状態となり（ステップＳ６１でＮＯ）、接続要求を受信すると（ステップＳ６１でＹＥＳ）、処理をステップＳ６２に進める。ステップＳ６２においては、接続に成功したか否かを判断する。接続要求を送信してきた携帯情報装置２００との間で、通信が確立したか否かにより判断する。接続に成功したならば処理をステップＳ６３に進めるが、そうでなければ処理を終了する。
【００９５】
次のステップＳ６３においては、携帯情報装置２００と通信が確立された通信装置を特定する。短距離無線通信部１１８，１１８Ａ，１１８Ｂのうち携帯情報装置２００と接続されたものを特定する。ここでは、短距離無線通信部１１８が携帯情報装置２００と通信が接続された場合を例に説明する。
【００９６】
ステップＳ６４においては、ステップＳ６３において特定された通信装置、ここでは短距離無線通信部１１８に関連付けられた連携処理の処理識別情報を携帯情報装置２００に送信する。短距離無線通信部１１８，１１８Ａ，１１８Ｂのうち携帯情報装置２００と通信が確立したものに予め対応付けられた連携処理の処理識別情報を送信する。ここでは、短距離無線通信部１１８が携帯情報装置２００と通信が確立しているので、短距離無線通信部１１８に関連付けられた画像形成処理の処理識別情報を、短距離無線通信部１１８を介して、携帯情報装置２００に送信する。
【００９７】
次のステップＳ６５においては、ステップＳ６５において接続に成功した携帯情報装置２００からデータを受信したか否かを判断する。データを受信したならば処理をステップＳ６６に進めるが、そうでなければ処理をステップＳ６７に進める。ステップＳ６６においては、ステップＳ６５において受信されたデータに、ステップＳ６３において特定された通信装置に関連付けられた連携処理、ここでは画像形成処理を実行し、処理をステップＳ６７に進める。
【００９８】
ステップＳ６７においては、終了指示を受け付けたか否かを判断する。ステップＳ６２において通信接続が成功した携帯情報装置２００との間の通信が切断されることにより、終了指示を受け付ける。終了指示を受け付けるならば処理を終了するが、そうでなければ処理をステップＳ６５に戻す。
【００９９】
第２の実施の形態におけるＭＦＰ１００は、３つの短距離無線通信部１１８，１１８Ａ，１１８Ｂを備え、３つの短距離無線通信部１１８，１１８Ａ，１１８Ｂは、互いに通信可能な範囲の異なり、ＭＦＰ１００が実行可能な３つの連携処理とそれぞれ関連付けられている。このため、ＭＦＰ１００に対する携帯情報装置２００の相対的な位置を異ならせれば、ＭＦＰ１００に実行させる連携処理を選択することができる。
【０１００】
さらに、携帯情報装置２００は、３つの短距離無線通信部１１８，１１８Ａ，１１８Ｂのうち通信可能となっているものと関連付けられた連携処理の処理識別情報を、表示部２０６の領域３２３に表示するので、携帯情報装置２００を操作するユーザは、ＭＦＰ１００に実行させる処理を知ることができる。
【０１０１】
なお、第１および第２の実施の形態における携帯情報装置２００は、表示部２０６の表示面の予め定められた位置に選択領域３２１を表示し、本体の回転角度が第１の範囲になるまで傾くと、軌道３２５を、選択領域３２１を通過する軌道３２５Ａに変更するようにした。これとは逆に、軌道３２５を表示部２０６の表示面中に固定して、本体の回転角度が第１の範囲になるまで傾くと、選択領域３２１が軌道３２５上になるように、選択領域３２１を移動させるようにしてもよい。
【０１０２】
また、上述した実施の形態においては、画像処理システム１について説明したが、図１０、図１２および図１４に示した処理を実行するための遠隔操作方法、およびその遠隔操作方法を携帯情報装置２００が備えるＣＰＵ２０１に実行させるための遠隔操作プログラムとし発明をとらえることができ、図１１および図１５に示した処理を実行するための連携処理実行方法およびその連携処理実行方法をＭＦＰ１００が備えるＣＰＵ１１１に実行させるための遠隔操作プログラムとし発明をとらえることができるのは言うまでもない。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０４】
＜付記＞
（１）  前記画像処理装置は、データの画像を形成する印刷処理を実行可能である、請求項１〜６のいずれかに記載の携帯情報装置。
（２）  前記画像処理装置は、データを送信するデータ送信処理を実行可能である、請求項１〜６のいずれかに記載の携帯情報装置。
（３）  前記画像処理装置は、データを記憶するデータ記憶処理を実行可能である、請求項１〜６のいずれかに記載の携帯情報装置。
【符号の説明】
【０１０５】
１００  ＭＦＰ、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８，１１８Ａ，１８８Ｂ  短距離無線通信部、１１９  外部記憶装置、１１９Ａ  ＣＤ−ＲＯＭ、１２０  自動原稿搬送装置、１３０  原稿読取部、１４０  画像形成部、１５０  給紙部、１６０  操作パネル、１６０Ａ  表示部、１６０Ｂ  操作部、２００  携帯情報装置、２０１  ＣＰＵ、２０２  カメラ、２０３  フラッシュメモリ、２０４  無線通信部、２０５  通話部、２０６  表示部、２０７  操作部、２０８  短距離無線通信部、２１１  傾き検出センサー、２５１  通信制御部、２５３  能力取得部、２５５  検出部、２５７  処理選択部、２５９  選択領域表示制御部、２６１  軌道設定部、２６３  識別情報表示制御部、２６５  遠隔制御部、２７１  割当部、３０１，３３１  操作画面、３１１〜３１７  サムネイル、３２１  選択領域、３２５，３２５Ａ  軌道、３２７  状態表示領域。
【図１】
2013008323.tif 000003
【図２】
2013008323.tif 000004
【図３】
2013008323.tif 000005
【図４】
2013008323.tif 000006
【図５】
2013008323.tif 000007
【図６】
2013008323.tif 000008
【図７】
2013008323.tif 000009
【図８】
2013008323.tif 000010
【図９】
2013008323.tif 000011
【図１０】
2013008323.tif 000012
【図１１】
2013008323.tif 000013
【図１２】
2013008323.tif 000014
【図１３】
2013008323.tif 000015
【図１４】
2013008323.tif 000016
【図１５】
2013008323.tif 000017